【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
オーディオ処理機器において実行される、オーディオ信号を処理する方法であって、前記オーディオ信号が、少なくとも２つのオーディオ入力からの入力信号の混合であり、前記方法が、
少なくとも２つの出力を生成するために、前記オーディオ信号を処理することであって、各出力が、異なる空間方向を指し示すビーム形成器を用いることによって生成される、ことと、
前記生成された出力間で少なくとも１つの支配的な出力を決定することと、
第１の強調された信号であって、前記入力信号の線形結合である基準信号に基づいて生成される第１の強調された信号と、
少なくとも１つの第２の強調された信号であって、前記支配的な出力以外の前記出力の少なくとも１つに基づいて生成される少なくとも１つの第２の強調された信号と
を生成するために前記出力を処理することと、
を含む方法。
【請求項２】
前記オーディオ信号に対して音源定位を実行することを含む、請求項１に記載の方法。
【請求項３】
前記空間方向は、前記音源定位を考慮する、請求項２に記載の方法。
【請求項４】
前記第２の強調された信号が、第１の係数によって重み付けされた、前記支配的な出力以外の前記少なくとも１つの出力に基づいて生成される、請求項１〜３のいずれか一項に記載の方法。
【請求項５】
前記支配的な出力が、前記オーディオ処理機器のカメラが面する方向である空間方向を有するビーム形成器の出力であると仮定される、請求項１〜４のいずれか一項に記載の方法。
【請求項６】
前記出力間の比率を決定することを含み、前記第１及び第２の強調された信号が、前記比率に応じて生成される、請求項１〜５のいずれか一項に記載の方法。
【請求項７】
出力オーディオを提供するために、前記第１及び第２の強調された信号を結合することを更に含む、請求項１〜６のいずれか一項に記載の方法。
【請求項８】
オーディオ信号を処理する機器であって、前記オーディオ信号が、少なくとも２つのオーディオ入力からの入力信号の混合であり、前記機器が、少なくとも２つのビーム形成器と、
少なくとも２つの出力を生成するために前記オーディオ信号を処理し、各出力が、異なる空間方向を指し示すビーム形成器の１つを用いることによって生成され、
前記生成された出力間で少なくとも１つの支配的な出力を決定し、
○  第１の強調された信号であって、前記入力信号の線形結合である基準信号に基づいて生成される第１の強調された信号と、
○  少なくとも１つの第２の強調された信号であって、前記支配的な出力以外の前記出力の少なくとも１つに基づいて生成されている少なくとも１つの第２の強調された信号と
を生成するために前記出力を処理する
ように構成された少なくとも１つのプロセッサと、
を備える機器。
【請求項９】
前記オーディオ信号に対して音源定位を実行するように構成された音源定位モジュールを備える、請求項８に記載の機器。
【請求項１０】
前記空間方向が、前記音源定位を考慮する、請求項９に記載の機器。
【請求項１１】
前記プロセッサが、第１の係数によって重み付けされた、前記支配的な出力以外の前記少なくとも１つの出力に基づいて、前記第２の強調された信号を生成するように構成されている、請求項８〜１０のいずれか一項に記載の機器。
【請求項１２】
前記支配的な出力が、前記機器のカメラが面する方向である空間方向を有するビーム形成器の出力であると仮定される、請求項８〜１１のいずれか一項に記載の機器。
【請求項１３】
前記オーディオ入力を含むオーディオキャプチャ装置を含む、請求項８〜１２のいずれか一項に記載の機器。
【請求項１４】
前記機器の出力モジュールに出力オーディオを提供するために、前記プロセッサが、前記第１及び第２の強調された信号を結合するように構成されている、請求項８〜１３のいずれか一項に記載の機器。
【請求項１５】
オーディオ信号を処理するための命令を記憶したコンピュータ可読記憶媒体であって、前記オーディオ信号が、少なくとも２つのオーディオ入力からの入力信号の混合であり、前記処理が、
少なくとも２つの出力を生成するために、前記オーディオ信号を処理することであって、各出力が、異なる空間方向を指し示すビーム形成器を用いることによって生成される、ことと、
前記生成された出力間で少なくとも１つの支配的な出力を決定することと、
前記出力を処理することであって、
第１の強調された信号であって、前記入力信号の線形結合である基準信号に基づいて生成される第１の強調された信号と、
少なくとも１つの第２の強調された信号であって、前記支配的な出力以外の前記出力の少なくとも１つに基づいて生成される少なくとも１つの第２の強調された信号と
を生成するために前記出力を処理することと、
を含むコンピュータ可読記憶媒体。
【手続補正２】
【補正対象書類名】明細書
【補正対象項目名】００４７
【補正方法】変更
【補正の内容】
【００４７】
当業者には明らかなように、実装は、例えば記憶又は送信され得る情報を伝えるようにフォーマットされた様々な信号を生成してもよい。情報は、例えば、方法を実行するための命令、又は説明された実装の１つによって生成されたデータを含んでもよい。例えば、信号は、説明された実施形態のビット列を伝えるようにフォーマットされてもよい。かかる信号は、例えば電磁波（例えば、スペクトルの無線周波数部分を用いる）又はベースバンド信号としてフォーマットされてもよい。フォーマットは、例えば、データストリームの符号化及び符号化されたデータストリームでキャリアを変調することを含んでもよい。信号が伝える情報は、例えばアナログ又はデジタル情報であってもよい。信号は、周知のように、様々な異なる有線又は無線リンクを通して送信されてもよい。信号は、プロセッサ可読媒体に記憶されてもよい。
［付記１］
オーディオ信号を処理するための方法であって、前記オーディオ信号が、少なくとも第１のオーディオ源からの第１の信号及び第２のオーディオ源からの第２の信号の混合であり、前記方法が、
第１の方向を指し示す第１のビーム形成器を用いて、前記オーディオ信号を処理して第１の出力を生成すること（３３０）であって、前記第１の方向が、前記第１のオーディオ源に対応する、ことと、
第２の方向を指し示す第２のビーム形成器を用いて、前記オーディオ信号を処理して第２の出力を生成すること（３３０）であって、前記第２の方向が、前記第２のオーディオ源に対応する、ことと、
前記第１の出力及び前記第２の出力を処理して、強調された第１の信号を生成すること（３４０）と、
を含む方法。
［付記２］
前記オーディオ信号に対して音源定位を実行して、前記第１の方向及び前記第２の方向を決定すること（３２０）を更に含む、付記１に記載の方法。
［付記３］
前記第１の出力と前記第２の出力との間で前記第１の出力が支配的であると決定することを更に含む、付記１に記載の方法。
［付記４］
前記第１の出力が支配的であると決定された場合に、前記強調された第１の信号を生成する前記処理が、基準信号に基づく、付記３に記載の方法。
［付記５］
前記第１の出力が支配的であると決定されない場合に、前記強調された第１の信号を生成する前記処理が、第１の係数によって重み付けされた前記第１の出力に基づく、付記３に記載の方法。
［付記６］
前記第１の出力が支配的であると前記決定することが、
第３の方向を指し示す第３のビーム形成器を用いて、前記オーディオ信号を処理して第３の出力を生成することであって、前記第３の方向が第３のオーディオ源に対応し、前記混合が、前記第３のオーディオ源からの第３の信号を含む、ことと、
前記第２の出力及び前記第３の出力の最大値を決定することと、
前記第１の出力及び前記最大値に応じて、前記第１の出力が支配的であると決定することと、
を含む、付記３に記載の方法。
［付記７］
前記第１の出力及び前記第２の出力に応じた比率を決定することであって、前記強調された第１の信号を生成する処理が、前記比率に応じて実行されることを更に含む、付記１に記載の方法。
［付記８］
前記第１の出力及び前記比率に応じて、前記強調された第１の信号を生成することと、
基準信号及び前記比率に応じて、前記強調された第１の信号を生成することと、
の１つを更に含む、付記７に記載の方法。
［付記９］
前記第１の信号を処理するための要求を受信することと、
前記強調された第１の信号及び前記第２の信号を結合して、出力オーディオを供給することと、
を更に含む、付記１に記載の方法。
［付記１０］
オーディオ信号を処理するための機器（２００、４００、５００、６００、７００）であって、前記オーディオ信号が、少なくとも第１のオーディオ源からの第１の信号及び第２のオーディオ源からの第２の信号の混合であり、前記機器が、
第１の方向を指し示し、且つ前記オーディオ信号を処理して第１の出力を生成するように構成された第１のビーム形成器（２２０、４３０、５３０、６３０）であって、前記第１の方向が、前記第１のオーディオ源に対応する、第１のビーム形成器（２２０、４３０、５３０、６３０）と、
第２の方向を指し示し、且つ前記オーディオ信号を処理して第２の出力を生成するように構成された第２のビーム形成器（２３０、４３０、５３２、６３２）であって、前記第２の方向が、前記第２のオーディオ源に対応する、第２のビーム形成器（２３０、４３０、５３２、６３２）と、
前記第１の出力及び前記第２の出力に応じて、強調された第１の信号を生成するように構成されたプロセッサ（２５０、４４０、５４０、６４０）と、
を備える機器（２００、４００、５００、６００、７００）。
［付記１１］
前記オーディオ信号に対して音源定位を実行して、前記第１の方向及び前記第２の方向を決定するように構成された音源定位モジュール（２１０、４２０）を更に備える、付記１０に記載の機器。
［付記１２］
前記プロセッサが、前記第１の出力と前記第２の出力との間で前記第１の出力が支配的であると決定するように更に構成される、付記１０に記載の機器。
［付記１３］
前記第１の出力が支配的であると決定された場合に、前記プロセッサが、基準信号に基づいて前記強調された第１の信号を生成するように構成される、付記１２に記載の機器。
［付記１４］
前記第１の出力が支配的であると決定されない場合に、前記プロセッサが、第１の係数によって重み付けされた前記第１の出力に基づいて、前記強調された第１の信号を生成するように構成される、付記１２に記載の機器。
［付記１５］
付記１〜９のいずれか一項に従って、オーディオ信号を処理するための命令を記憶したコンピュータ可読記憶媒体であって、前記オーディオ信号が、少なくとも第１のオーディオ源からの第１の信号及び第２のオーディオ源からの第２の信号の混合である、コンピュータ可読記憶媒体。